(57)【要約】【課題】連携ジョブの使用状況をユーザに把握させ易くすることができる情報処理システム、レポート生成方法及びプログラムを提供する。【解決手段】機器から、当該機器で実行された１以上のジョブそれぞれのログである１以上のジョブログを取得する取得部３５７と、１以上のジョブログに基づいて、機器で実行されたジョブのうち他の機器と連携して実行された連携ジョブの使用状況に関するレポートを生成する生成部３６３と、レポートを出力する出力部３６５と、を備える。【選択図】図６
2017050814.tif 000002
【特許請求の範囲】
【請求項１】
機器から、当該機器で実行された１以上のジョブそれぞれのログである１以上のジョブログを取得する取得部と、
前記１以上のジョブログに基づいて、前記機器で実行されたジョブのうち他の機器と連携して実行された連携ジョブの使用状況に関するレポートを生成する生成部と、
前記レポートを出力する出力部と、
を備える情報処理システム。
【請求項２】
前記ジョブログは、前記ログを識別するジョブログ識別情報を含み、
前記連携ジョブの実行を制御する連携制御部と、
前記連携ジョブ毎に、前記連携ジョブを識別する連携ジョブ識別情報と、前記連携ジョブを構成する複数のジョブそれぞれのジョブログ識別情報とを対応付けて管理するジョブログ管理部と、
前記１以上のジョブログのうち、ジョブログ識別情報が前記連携ジョブ識別情報に対応付けられているジョブログのジョブを前記連携ジョブに特定する特定部を更に備える請求項１に記載の情報処理システム。
【請求項３】
前記ジョブログは、前記ジョブが自機器単独で実行された単独ジョブであるか前記連携ジョブであるかを識別するジョブ種別識別情報を含み、
前記１以上のジョブログのうち、前記ジョブ種別識別情報が前記連携ジョブを示すジョブログのジョブを前記連携ジョブに特定する特定部を更に備える請求項１に記載の情報処理システム。
【請求項４】
前記１以上のジョブログに基づいて、実行されたジョブの総ジョブ数に対する、当該総ジョブ数のうちの前記連携ジョブの連携ジョブ数の割合を算出する算出部を更に備え、
前記生成部は、前記レポートとして、前記算出された割合を示すレポートを生成する請求項１〜３のいずれか１つに記載の情報処理システム。
【請求項５】
前記取得部は、複数の機器それぞれから、当該機器で実行された前記１以上のジョブログを取得し、
前記複数の機器それぞれの前記１以上のジョブログに基づいて、前記複数の機器で実行されたジョブの総ジョブ数に対する、当該総ジョブ数のうちの前記連携ジョブの連携ジョブ数の割合を算出する算出部を更に備え、
前記生成部は、前記レポートとして、前記算出された割合を示すレポートを生成する請求項１〜４のいずれか１つに記載の情報処理システム。
【請求項６】
前記取得部は、複数の機器それぞれから、当該機器で実行された前記１以上のジョブログを取得し、
前記複数の機器それぞれの前記１以上のジョブログに基づいて、前記複数の機器のうち前記連携ジョブが実行された機器の台数を算出する算出部を更に備え、
前記生成部は、前記レポートとして、前記算出された台数を示すレポートを生成する請求項１〜５のいずれか１つに記載の情報処理システム。
【請求項７】
前記取得部は、複数の機器それぞれから、当該機器で実行された前記１以上のジョブログを取得し、
前記ジョブログは、前記ジョブの種別を識別するジョブ種別識別情報、及び前記ジョブが実行された時間帯を示す時間帯情報を含み、
前記複数の機器それぞれの前記１以上のジョブログに基づいて、前記複数の機器で実行されたジョブのうち、種別が一致し、かつ実行された時間帯が重複する連携ジョブの合計重複時間を算出する算出部を更に備え、
前記生成部は、前記レポートとして、前記算出された合計重複時間を示すレポートを生成する請求項１〜６のいずれか１つに記載の情報処理システム。
【請求項８】
機器から、当該機器で実行された１以上のジョブそれぞれのログである１以上のジョブログを取得する取得ステップと、
前記１以上のジョブログに基づいて、前記機器で実行されたジョブのうち他の機器と連携して実行された連携ジョブの使用状況に関するレポートを生成する生成ステップと、
前記レポートを出力する出力ステップと、
を含むレポート生成方法。
【請求項９】
機器から、当該機器で実行された１以上のジョブそれぞれのログである１以上のジョブログを取得する取得ステップと、
前記１以上のジョブログに基づいて、前記機器で実行されたジョブのうち他の機器と連携して実行された連携ジョブの使用状況に関するレポートを生成する生成ステップと、
前記レポートを出力する出力ステップと、
をコンピュータに実行させるためのプログラム。
【発明の詳細な説明】
【技術分野】
【０００１】
本発明は、情報処理システム、レポート生成方法及びプログラムに関する。
【背景技術】
【０００２】
従来から、複数の画像形成装置を連携動作させることで、画像形成装置単体では実現できない機能を実現する技術が知られている。
【０００３】
例えば特許文献１には、このような技術において、複数の画像形成装置それぞれが行ったジョブのログを連携動作の制御元の画像形成装置に集約して関連付けることで、連携動作のジョブのログを生成し、管理する技術が知られている。また特許文献１には、画像形成装置で管理しているログを表示することも開示されている。
【発明の概要】
【発明が解決しようとする課題】
【０００４】
しかしながら、上述したような従来技術では、画像形成装置で管理しているログをそのまま表示しているだけなので、ユーザは、連携ジョブの使用状況を把握しにくい。
【０００５】
本発明は、上記事情に鑑みてなされたものであり、連携ジョブの使用状況をユーザに把握させ易くすることができる情報処理システム、レポート生成方法及びプログラムを提供することを目的とする。
【課題を解決するための手段】
【０００６】
上述した課題を解決し、目的を達成するために、本発明の一態様にかかる情報処理システムは、機器から、当該機器で実行された１以上のジョブそれぞれのログである１以上のジョブログを取得する取得部と、前記１以上のジョブログに基づいて、前記機器で実行されたジョブのうち他の機器と連携して実行された連携ジョブの使用状況に関するレポートを生成する生成部と、前記レポートを出力する出力部と、を備える。
【発明の効果】
【０００７】
本発明によれば、連携ジョブの使用状況をユーザに把握させ易くすることができるという効果を奏する。
【図面の簡単な説明】
【０００８】
【図１】図１は、本実施形態の連携システムの構成の一例を示す模式図である。
【図２】図２は、本実施形態の子機のハードウェア構成の一例を示すブロック図である。
【図３】図３は、本実施形態のサーバ装置のハードウェア構成の一例を示すブロック図である。
【図４】図４は、本実施形態の親機のハードウェア構成の一例を示すブロック図である。
【図５】図５は、本実施形態の端末装置のハードウェア構成の一例を示すブロック図である。
【図６】図６は、本実施形態の連携システムの機能構成の一例を示すブロック図である。
【図７】図７は、本実施形態の子機が生成した画像データをサーバ装置に転送する動作の一例を示すシーケンス図である。
【図８】図８は、サーバ装置に転送された画像データを親機に転送し、外部ファクス装置へファクス送信する動作の一例を示すシーケンス図である。
【図９】図９は、本実施形態のサーバ装置で管理されているログに関する情報の一例を示す図である。
【図１０】図１０は、本実施形態の本体部で管理されているログに関する情報の一例を示す図である。
【図１１】図１１は、本実施形態の本体部で管理されているログに関する情報の一例を示す図である。
【図１２】図１２は、本実施形態の機器連携ファクスの連携ジョブを構成する単独ジョブのログの概略の一例を示す図である。
【図１３】図１３は、図１２に示すスキャン蓄積ジョブログの詳細の一例を示す図である。
【図１４】図１４は、図１２に示すスキャン蓄積画像取得ジョブログの詳細の一例を示す図である。
【図１５】図１５は、図１２に示すファクス文書蓄積ジョブログの詳細の一例を示す図である。
【図１６】図１６は、図１２に示すファクス送信ジョブログの詳細の一例を示す図である。
【図１７】図１７は、本実施形態の機器単体での総ジョブ数に対する連携ジョブ数の割合を示すレポートの生成動作の一例を示すシーケンス図である。
【図１８】図１８は、本実施形態の機器全体での総ジョブ数に対する連携ジョブ数の割合を示すレポートの生成動作の一例を示すシーケンス図である。
【図１９】図１９は、本実施形態の連携ジョブを実行した機器の台数を示すレポートの生成動作の一例を示すシーケンス図である。
【図２０】図２０は、本実施形態の種別が一致し、かつ実行された時間帯が重複する連携ジョブの合計重複時間を示すレポートの生成動作の一例を示すシーケンス図である。
【発明を実施するための形態】
【０００９】
以下、添付図面を参照しながら、本発明にかかる情報処理システム、レポート生成方法及びプログラムの実施形態を詳細に説明する。以下では、ファクス機能を有していない機器とファクス機能を有する機器とを連携させて、ファクス機能を有していない機器からファクス機能を実現する機器連携ファクスを例に取り説明するが、連携動作はこれに限定されるものではない。連携動作は、例えば、印刷機能を有していない機器とスキャナ機能を有していない機器とを連携させて、コピー機能を実現する機器連携コピーなどであってもよいし、例えば、機能差を有する機器同士を連携させて、ある機器では実行できない機能を他の機器と連携することで実現させる連携動作などであってもよい。
【００１０】
図１は、本実施形態の連携システム１の構成の一例を示す模式図である。図１に示すように、連携システム１は、子機１０と、サーバ装置３０（情報処理システムの一例）と、親機４０と、外部ファクス装置６０と、端末装置７０と、を備える。子機１０、サーバ装置３０、親機４０、及び端末装置７０は、内部ネットワーク２を介して接続され、親機４０と外部ファクス装置６０とは、外部ネットワーク３を介して接続されている。
【００１１】
内部ネットワーク２は、私設ネットワークであり、例えば、ＬＡＮ（Local  Area  Network）などが挙げられる。外部ネットワーク３は、公衆ネットワークであり、例えば、公衆回線網やインターネットなどが挙げられる。本実施形態では、外部ネットワーク３が公衆回線網である場合を例に取り説明するが、これに限定されるものではない。
【００１２】
子機１０は、親機４０が接続される内部ネットワーク２に接続され、ファクス機能を有さない機器である。子機１０は、例えば、印刷装置、複写機、及び複合機（ＭＦＰ：Multifunction  Peripheral）などの画像形成装置が挙げられる。
【００１３】
親機４０は、内部ネットワーク２及び外部ネットワーク３に接続され、ファクス機能を有する機器である。親機４０は、例えば、ファクス装置、ファクス機能を有する電話機、及びファクス機能を有する複合機などが挙げられる。
【００１４】
サーバ装置３０は、子機１０が生成したファクス用の画像データを親機４０に転送して外部ファクス装置６０にファクス送信させたり、親機４０が外部ファクス装置６０から受信したファクス用の画像データを子機１０に転送して受信させたりする。またサーバ装置３０は、機器連携機能の使用状況に関するレポートを生成し、端末装置７０などに出力する。
【００１５】
サーバ装置３０は、１台以上のコンピュータで実現できる。本実施形態では、サーバ装置３０を１台のコンピュータで実現する場合を例に取り説明するが、例えば、機器連携用の制御とレポート生成とを別々のコンピュータで行うようにしてもよい。
【００１６】
端末装置７０は、ユーザが所持する端末装置であり、例えば、スマートフォンやタブレット端末などスマートデバイスが挙げられる。
【００１７】
図２は、本実施形態の子機１０のハードウェア構成の一例を示すブロック図である。図２に示すように、子機１０は、操作部１１と本体部２０とを備える。操作部１１は、ＣＰＵ（Central  Processing  Unit）１０１と、ＲＯＭ（Read  Only  Memory）１０３と、ＲＡＭ（Random  Access  Memory）１０５と、ＨＤＤ（Hard  Disk  Drive）１０７と、ＮＩＣ（Network  Interface  Controller）１０９と、入力装置１１１と、表示装置１１３と、を備え、本体部２０は、スキャナユニット２０１と、ＣＰＵ２０３と、ＲＯＭ２０５と、ＲＡＭ２０７と、プリントエンジン２０９と、画像メモリ２１１と、ＨＤＤ２１３と、ＮＩＣ２１５と、を備える。但し、図２に示す子機１０のハードウェア構成は、一例であり、これに限定されるものではない。
【００１８】
ＮＩＣ１０９は、内部ネットワーク２を介した通信用の通信インタフェースである。入力装置１１１は、タッチパネルなど各種操作入力を行うものである。表示装置１１３は、ディスプレイなど各種情報を表示するものである。
【００１９】
ＲＯＭ１０３は、ＣＰＵ１０１で実行されるプログラムなどを記憶する。ＲＡＭ１０５は、ＣＰＵ１０１の作業領域に用いられる。ＨＤＤ１０７は、ＣＰＵ１０１が使用する各種データを記憶する。ＣＰＵ１０１は、ＲＯＭ１０３に記憶されたプログラムをＲＡＭ１０５上で実行することで、各種動作を実現する。
【００２０】
スキャナユニット２０１は、原稿台に置かれた原稿を電子的に読み取り、画像データを生成する。プリントエンジン２０９は、画像データを印刷出力する。画像メモリ２１１は、スキャナユニット２０１により生成された画像データやプリントエンジン２０９に印刷出力される画像データを格納するメモリである。ＮＩＣ２１５は、内部ネットワーク２を介した通信用の通信インタフェースである。
【００２１】
ＲＯＭ２０５は、ＣＰＵ２０３で実行されるプログラムなどを記憶する。ＲＡＭ２０７は、ＣＰＵ２０３の作業領域に用いられる。ＨＤＤ２１３は、ＣＰＵ２０３が使用する各種データを記憶する。ＣＰＵ２０３は、ＲＯＭ２０５に記憶されたプログラムをＲＡＭ２０７上で実行することで、バスで接続されたスキャナユニット２０１、プリントエンジン２０９、画像メモリ２１１、ＨＤＤ２１３、及びＮＩＣ２１５などを制御する。
【００２２】
図３は、本実施形態のサーバ装置３０のハードウェア構成の一例を示すブロック図である。図３に示すように、サーバ装置３０は、ＣＰＵ３０１と、ＲＯＭ３０３と、ＲＡＭ３０５と、ＨＤＤ３０７と、ＮＩＣ３０９と、を備える。
【００２３】
ＮＩＣ３０９は、内部ネットワーク２を介した通信用の通信インタフェースである。ＲＯＭ３０３は、ＣＰＵ３０１で実行されるプログラムなどを記憶する。ＲＡＭ３０５は、ＣＰＵ３０１の作業領域に用いられる。ＨＤＤ３０７は、ＣＰＵ３０１が使用する各種データを記憶する。ＣＰＵ３０１は、ＲＯＭ３０３に記憶されたプログラムをＲＡＭ３０５上で実行することで、各種動作を実現する。
【００２４】
図４は、本実施形態の親機４０のハードウェア構成の一例を示すブロック図である。図４に示すように、親機４０は、操作部４１と本体部５０とを備える。操作部４１は、ＣＰＵ４０１と、ＲＯＭ４０３と、ＲＡＭ４０５と、ＨＤＤ４０７と、ＮＩＣ４０９と、入力装置４１１と、表示装置４１３と、を備え、本体部５０は、スキャナユニット５０１と、ＣＰＵ５０３と、ＲＯＭ５０５と、ＲＡＭ５０７と、プリントエンジン５０９と、画像メモリ５１１と、ＨＤＤ５１３と、ＮＩＣ５１５と、ＭＯＤＥＭ５１７と、ＮＣＵ（Network  Control  Unit）５１９と、を備える。但し、図４に示す親機４０のハードウェア構成は、一例であり、これに限定されるものではない。
【００２５】
ＮＩＣ４０９は、内部ネットワーク２を介した通信用の通信インタフェースである。入力装置４１１は、タッチパネルなど各種操作入力を行うものである。表示装置４１３は、ディスプレイなど各種情報を表示するものである。
【００２６】
ＲＯＭ４０３は、ＣＰＵ４０１で実行されるプログラムなどを記憶する。ＲＡＭ４０５は、ＣＰＵ４０１の作業領域に用いられる。ＨＤＤ４０７は、ＣＰＵ４０１が使用する各種データを記憶する。ＣＰＵ４０１は、ＲＯＭ４０３に記憶されたプログラムをＲＡＭ４０５上で実行することで、各種動作を実現する。
【００２７】
スキャナユニット５０１は、原稿台に置かれた原稿を電子的に読み取り、画像データを生成する。プリントエンジン５０９は、画像データを印刷出力する。画像メモリ５１１は、スキャナユニット５０１により生成された画像データやプリントエンジン５０９に印刷出力される画像データを格納するメモリである。
【００２８】
ＮＩＣ５１５は、内部ネットワーク２を介した通信用の通信インタフェースである。ＮＣＵ５１９は、外部ネットワーク３を介した通信用の通信インタフェースである。ＭＯＤＥＭ５１７は、外部ネットワーク３を介したファクシミリ通信に伴う変復調を行う装置である。
【００２９】
ＲＯＭ５０５は、ＣＰＵ５０３で実行されるプログラムなどを記憶する。ＲＡＭ５０７は、ＣＰＵ５０３の作業領域に用いられる。ＨＤＤ５１３は、ＣＰＵ５０３が使用する各種データを記憶する。ＣＰＵ５０３は、ＲＯＭ５０５に記憶されたプログラムをＲＡＭ５０７上で実行することで、バスで接続されたスキャナユニット５０１、プリントエンジン５０９、画像メモリ５１１、ＨＤＤ５１３、ＮＩＣ５１５、ＭＯＤＥＭ５１７、及びＮＣＵ５１９などを制御する。
【００３０】
図５は、本実施形態の端末装置７０のハードウェア構成の一例を示すブロック図である。図５に示すように、端末装置７０は、ＣＰＵ７０１と、ＲＯＭ７０３と、ＲＡＭ７０５と、ＨＤＤ７０７と、ＮＩＣ７０９と、入力装置７１１と、表示装置７１３と、を備える。但し、図５に示す端末装置７０のハードウェア構成は、一例であり、これに限定されるものではない。
【００３１】
ＮＩＣ７０９は、内部ネットワーク２を介した通信用の通信インタフェースである。入力装置７１１は、タッチパネルなど各種操作入力を行うものである。表示装置７１３は、ディスプレイなど各種情報を表示するものである。
【００３２】
ＲＯＭ７０３は、ＣＰＵ７０１で実行されるプログラムなどを記憶する。ＲＡＭ７０５は、ＣＰＵ７０１の作業領域に用いられる。ＨＤＤ７０７は、ＣＰＵ７０１が使用する各種データを記憶する。ＣＰＵ７０１は、ＲＯＭ７０３に記憶されたプログラムをＲＡＭ７０５上で実行することで、各種動作を実現する。
【００３３】
図６は、本実施形態の連携システム１の機能構成の一例を示すブロック図である。図６に示すように、操作部１１は、入力部１５１と、表示部１５３と、ジョブ制御部１５５と、記憶部１５７と、を含む。ジョブ制御部１５５は、単独ジョブ（ジョブの一例）を本体部２０に実行させ、複数の単独ジョブで構成される連携ジョブを本体部２０及びサーバ装置３０に実行させる。つまり、連携ジョブは、他の機器と連携して実行されるジョブである。
【００３４】
入力部１５１は、例えば、入力装置１１１により実現でき、表示部１５３は、例えば、表示装置１１３により実現でき、ジョブ制御部１５５は、例えば、ＣＰＵ１０１、ＲＡＭ１０５、及びＮＩＣ１０９により実現でき、記憶部１５７は、例えば、ＨＤＤ１０７により実現できる。
【００３５】
また図６に示すように、本体部２０は、ジョブ実行部２５１と、記憶部２５３と、単独ジョブログ管理部２５５と、を含む。ジョブ実行部２５１は、操作部１１及びサーバ装置３０の少なくともいずれかから単独ジョブの実行要求が行われる毎に、当該単独ジョブを実行する。単独ジョブログ管理部２５５は、実行された単独ジョブ毎に、当該単独ジョブのログであって当該ログを識別する単独ジョブログ識別情報（ジョブログ識別情報の一例）を含む単独ジョブログ（ジョブログの一例）を生成して管理する。
【００３６】
ジョブ実行部２５１は、例えば、スキャナユニット２０１、ＣＰＵ２０３、ＲＡＭ２０７、プリントエンジン２０９、画像メモリ２１１、及びＮＩＣ２１５により実現でき、記憶部２５３は、例えば、ＨＤＤ２１３により実現でき、単独ジョブログ管理部２５５は、例えば、ＣＰＵ２０３、ＲＡＭ２０７、及びＮＩＣ２１５により実現できる。
【００３７】
また図６に示すように、サーバ装置３０は、連携制御部３５１と、記憶部３５３と、連携ジョブログ管理部３５５（ジョブログ管理部の一例）と、取得部３５７と、特定部３５９と、算出部３６１と、生成部３６３と、出力部３６５と、を含む。
【００３８】
連携制御部３５１は、連携ジョブの実行を制御する。具体的には、連携制御部３５１は、操作部１１や操作部４１からの連携ジョブの実行要求に基づいて、連携ジョブを構成する単独ジョブの実行を制御する。例えば、連携制御部３５１は、連携ジョブを構成する単独ジョブに応じた１以上の本体部に、当該単独ジョブの実行要求を行う。
【００３９】
連携ジョブログ管理部３５５は、連携ジョブ毎に、連携ジョブを識別する連携ジョブ識別情報と、連携ジョブを構成する複数の単独ジョブそれぞれの単独ジョブログ識別情報とを対応付けて管理する。
【００４０】
なお、取得部３５７、特定部３５９、算出部３６１、生成部３６３、及び出力部３６５については、後述する。
【００４１】
連携制御部３５１、連携ジョブログ管理部３５５、取得部３５７、及び出力部３６５は、例えば、ＣＰＵ３０１、ＲＡＭ３０５、及びＮＩＣ３０９により実現でき、記憶部３５３は、例えば、ＨＤＤ３０７により実現でき、特定部３５９、算出部３６１、及び生成部３６３は、例えば、ＣＰＵ３０１、及びＲＡＭ３０５により実現できる。
【００４２】
また図６に示すように、本体部５０は、ジョブ実行部５５１と、記憶部５５３と、単独ジョブログ管理部５５５と、を含む。ジョブ実行部５５１は、操作部４１及びサーバ装置３０の少なくともいずれかから単独ジョブの実行要求が行われる毎に、当該単独ジョブを実行する。単独ジョブログ管理部５５５は、実行された単独ジョブ毎に、当該単独ジョブのログであって当該ログを識別する単独ジョブログ識別情報を含む単独ジョブログを生成して管理する。
【００４３】
ジョブ実行部５５１は、例えば、スキャナユニット５０１、ＣＰＵ５０３、ＲＡＭ５０７、プリントエンジン５０９、画像メモリ５１１、ＮＩＣ５１５、ＭＯＤＥＭ５１７、及びＮＣＵ５１９により実現でき、記憶部５５３は、例えば、ＨＤＤ５１３により実現でき、単独ジョブログ管理部５５５は、例えば、ＣＰＵ５０３、ＲＡＭ５０７、及びＮＩＣ５１５により実現できる。
【００４４】
（ジョブログ生成動作）
以下では、子機１０が生成した画像データを、サーバ装置３０を介して、親機４０に転送して外部ファクス装置６０にファクス送信させる場合を例に取り説明するが、これに限定されるものではない。また、以下では、単独ジョブログ識別情報が単独ジョブログＩＤであり、連携ジョブ識別情報が連携ジョブログＩＤである場合を例に取り説明するが、これに限定されるものではない。
【００４５】
最初に、子機１０が生成した画像データをサーバ装置３０に転送する動作について説明する。図７は、本実施形態の子機１０が生成した画像データをサーバ装置３０に転送する動作の一例を示すシーケンス図である。
【００４６】
まず、操作部１１の入力部１５１は、表示部１５３に表示されたメニュー画面上で、ファクス送信先や原稿の読取条件などを入力し、機器連携ファクスの連携ジョブ要求をジョブ制御部１５５に通知する（ステップＳ１０１）。
【００４７】
続いて、ジョブ制御部１５５は、入力部１５１から通知された機器連携ファクスの連携ジョブ要求から、本体部２０に対するスキャン蓄積の単独ジョブ要求、及びサーバ装置３０に対するスキャン蓄積画像データのファクス送信のジョブ要求を連続して制御すると判断する。なお、機器連携ファクスの連携ジョブは、スキャン蓄積の単独ジョブ及びスキャン蓄積画像データのファクス送信のジョブで構成され、スキャン蓄積画像データのファクス送信のジョブも、複数の単独ジョブで構成されている。
【００４８】
そしてジョブ制御部１５５は、最初に、本体部２０に対する単独ジョブ要求（スキャン蓄積）を行う（ステップＳ１０３）。
【００４９】
続いて、本体部２０のジョブ実行部２５１は、単独ジョブ要求（スキャン蓄積）を受け付けると、スキャン蓄積の単独ジョブを識別するジョブＩＤ＿Ａ１、及びスキャン蓄積の単独ジョブのログを識別する単独ジョブログＩＤ＿Ａ１を発行し、操作部１１へ通知する（ステップＳ１０５）。
【００５０】
続いて、ジョブ実行部２５１は、ファクス送信用の原稿から画像データを読み取り（ステップＳ１０７）、読み取った画像データを記憶部２５３へ記憶する（ステップＳ１０９）。
【００５１】
続いて、単独ジョブログ管理部２５５は、スキャン蓄積の単独ジョブのログであるスキャン蓄積ジョブログを生成し、記憶部２５３へ記憶する（ステップＳ１１１）。
【００５２】
一方、操作部１１のジョブ制御部１５５は、ジョブＩＤ＿Ａ１、及び単独ジョブログＩＤ＿Ａ１が通知されると、記憶部１５７からサーバ装置３０のＩＰアドレスを取得し、取得したＩＰアドレスに基づいて、サーバ装置３０に対するジョブ要求（ファクス送信、機器識別情報＿Ａ、ジョブＩＤ＿Ａ１、単独ジョブログＩＤ＿Ａ１）を行う（ステップＳ１１３）。
【００５３】
機器識別情報＿Ａは、スキャン蓄積を行った本体部２０の識別子であり、例えば、ＩＰアドレスなどが挙げられる。機器識別情報＿Ａは、記憶部１５７に予め記憶されているものとするが、これに限定されるものではない。
【００５４】
続いて、サーバ装置３０の連携制御部３５１は、ジョブ要求（ファクス送信、機器識別情報＿Ａ、ジョブＩＤ＿Ａ１、単独ジョブログＩＤ＿Ａ１）を受け付けると、機器連携ファクスの連携ジョブのログを識別する連携ジョブログＩＤ＿Ｘ１を発行し、連携ジョブログ管理部３５５は、連携ジョブログＩＤ＿Ｘ１、機器識別情報＿Ａ、及び単独ジョブログＩＤ＿Ａ１を対応付けて記憶部３５３へ記憶する（ステップＳ１１５）。
【００５５】
続いて、連携制御部３５１は、機器識別情報＿Ａに基づいて、本体部２０に対する単独ジョブ要求（スキャン蓄積画像データ取得、ジョブＩＤ＿Ａ１）を行う（ステップＳ１１７）。
【００５６】
続いて、本体部２０のジョブ実行部２５１は、単独ジョブ要求（スキャン蓄積画像データ取得、ジョブＩＤ＿Ａ１）を受け付けると、スキャン蓄積画像データ取得の単独ジョブを識別するジョブＩＤ＿Ａ２、及びスキャン蓄積画像データ取得の単独ジョブのログを識別する単独ジョブログＩＤ＿Ａ２を発行し、ジョブＩＤ＿Ａ１が示すスキャン蓄積の単独ジョブで記憶部２５３に記憶された画像データであるスキャン蓄積画像データを記憶部２５３から取得する（ステップＳ１１９）。
【００５７】
続いて、単独ジョブログ管理部２５５は、スキャン蓄積画像データ取得の単独ジョブのログであるスキャン蓄積画像データ取得ジョブログを生成し、記憶部２５３へ記憶する（ステップＳ１２１）。
【００５８】
続いて、本体部２０のジョブ実行部２５１は、取得したスキャン蓄積画像データ、ジョブＩＤ＿Ａ２、及び単独ジョブログＩＤ＿Ａ２をサーバ装置３０へ通知する（ステップＳ１２３）。
【００５９】
続いて、サーバ装置３０の連携制御部３５１は、通知されたスキャン蓄積画像データを記憶部３５３へ記憶し（ステップＳ１２５）、連携ジョブログ管理部３５５は、記憶部３５３へ記憶されている連携ジョブログＩＤ＿Ｘ１に、機器識別情報＿Ａ、及び通知された単独ジョブログＩＤ＿Ａ２を対応付けて記憶部３５３へ記憶する（ステップＳ１２７）。
【００６０】
この時点で、本体部２０には、スキャン蓄積ジョブログ及び蓄積画像データ取得ジョブログが記憶されたが、これだけでは、本体部２０単体で完結した単独ジョブのログなのか、連携ジョブを構成する単独ジョブのログなのか判断できない。
【００６１】
次に、サーバ装置３０に転送された画像データを親機４０に転送し、外部ファクス装置６０へファクス送信する動作について説明する。図８は、図７に示すシーケンス図の続きであり、サーバ装置３０に転送された画像データを親機４０に転送し、外部ファクス装置６０へファクス送信する動作の一例を示すシーケンス図である。
【００６２】
まず、サーバ装置３０の連携制御部３５１は、記憶部３５３からスキャン蓄積画像データを読み出し、ファクス送信用のファクス文書であるファクス送信画像データに変換する（ステップＳ２０１）。
【００６３】
続いて、連携制御部３５１は、記憶部３５３から親機４０（詳細には、本体部５０）の機器識別情報＿Ｂを取得し、取得した機器識別情報＿Ｂに基づいて、本体部５０に対する単独ジョブ要求（ファクス文書蓄積、ファクス送信画像データ）を行う（ステップＳ２０３）。
【００６４】
機器識別情報＿Ｂは、ファクス送信を行う本体部５０の識別子であり、例えば、ＩＰアドレスなどが挙げられる。機器識別情報＿Ｂは、記憶部３５３に予め記憶されているものとするが、これに限定されるものではない。
【００６５】
続いて、本体部５０のジョブ実行部５５１は、単独ジョブ要求（ファクス文書蓄積、ファクス送信画像データ）を受け付けると、ファクス文書蓄積の単独ジョブを識別するジョブＩＤ＿Ｂ１、ファクス文書蓄積の単独ジョブのログを識別する単独ジョブログＩＤ＿Ｂ１、及びファクス送信画像データを識別する蓄積文書ＩＤを発行し、通知されたファクス送信画像データを記憶部５５３に記憶する（ステップＳ２０５）。
【００６６】
続いて、単独ジョブログ管理部５５５は、ファクス文書蓄積の単独ジョブのログであるファクス文書蓄積ジョブログを生成し、記憶部５５３へ記憶する（ステップＳ２０７）。
【００６７】
続いて、ジョブ実行部５５１は、蓄積文書ＩＤ、ジョブＩＤ＿Ｂ１、及び単独ジョブログＩＤ＿Ｂ１をサーバ装置３０へ通知する（ステップＳ２０９）。
【００６８】
続いて、サーバ装置３０の連携ジョブログ管理部３５５は、記憶部３５３へ記憶されている連携ジョブログＩＤ＿Ｘ１に、機器識別情報＿Ｂ、及び通知された単独ジョブログＩＤ＿Ｂ１を対応付けて記憶部３５３へ記憶する（ステップＳ２１１）。
【００６９】
続いて、連携制御部３５１は、本体部５０に対する単独ジョブ要求（ファクス送信、蓄積文書ＩＤ）を行う（ステップＳ２１３）。
【００７０】
続いて、本体部５０のジョブ実行部５５１は、単独ジョブ要求（ファクス送信、蓄積文書ＩＤ）を受け付けると、ファクス送信の単独ジョブを識別するジョブＩＤ＿Ｂ２、及びファクス送信の単独ジョブのログを識別する単独ジョブログＩＤ＿Ｂ２を発行し、サーバ装置３０へ通知する（ステップＳ２１５）。
【００７１】
続いて、サーバ装置３０の連携ジョブログ管理部３５５は、記憶部３５３へ記憶されている連携ジョブログＩＤ＿Ｘ１に、機器識別情報＿Ｂ、及び通知された単独ジョブログＩＤ＿Ｂ２を対応付けて記憶部３５３へ記憶する（ステップＳ２１７）。
【００７２】
一方、本体部５０のジョブ実行部５５１は、通知された蓄積文書ＩＤが示すファクス送信画像データを記憶部５５３から取得し（ステップＳ２１９）、外部ファクス装置６０へファクス送信する（ステップＳ２２１）。
【００７３】
続いて、単独ジョブログ管理部５５５は、ファクス送信の単独ジョブのログであるファクス送信ジョブログを生成し、記憶部５５３へ記憶する（ステップＳ２２３）。
【００７４】
この時点で、本体部５０には、ファクス文書蓄積ジョブログ及びファクス送信ジョブログが記憶されたが、これだけでは、本体部５０単体で完結した単独ジョブのログなのか、連携ジョブを構成する単独ジョブのログなのか判断できない。
【００７５】
図９は、本実施形態のサーバ装置３０で管理されているログに関する情報の一例を示す図であり、図１０は、本実施形態の本体部２０で管理されているログに関する情報の一例を示す図であり、図１１は、本実施形態の本体部５０で管理されているログに関する情報の一例を示す図である。なお、図９〜図１１に示す例では、図７及び図８のシーケンス図で説明した処理の後に、機器連携ファクスとは関係なく、本体部２０の単独ジョブとしてスキャン送信ジョブ、本体部５０の単独ジョブとしてコピージョブが行われているものとする。
【００７６】
図９に示すように、サーバ装置３０には、機器連携ファクスの連携ジョブの連携ジョブログＩＤとして連携ジョブログＩＤ＿Ｘ１が記憶され、本体部２０を示す機器識別情報＿Ａ、本体部５０を示す機器識別情報＿Ｂが対応付けられている。また、機器識別情報＿Ａには、単独ジョブログＩＤ＿Ａ１及び単独ジョブログＩＤ＿Ａ２が対応付けられ、機器識別情報＿Ｂには、単独ジョブログＩＤ＿Ｂ１及び単独ジョブログＩＤ＿Ｂ２が対応付けられている。
【００７７】
図１０に示すように、本体部２０には、単独ジョブログＩＤを含む単独ジョブログが記憶されている。具体的には、単独ジョブログＩＤ＿Ａ１を含むスキャン蓄積ジョブログ、単独ジョブログＩＤ＿Ａ２を含む蓄積画像データ取得ジョブログ、単独ジョブログＩＤ＿Ａ３を含むスキャン送信ジョブログが記憶されている。なお、前述の通り、単独ジョブログＩＤ＿Ａ３のスキャン送信ジョブログは、機器連携ファクスとは関係のない単独ジョブのログである。
【００７８】
図１１に示すように、本体部５０には、単独ジョブログＩＤを含む単独ジョブログが記憶されている。具体的には、単独ジョブログＩＤ＿Ｂ１を含むファクス文書蓄積ジョブログ、単独ジョブログＩＤ＿Ｂ２を含むファクス送信ジョブログ、単独ジョブログＩＤ＿Ｂ３を含むコピージョブログが記憶されている。なお、前述の通り、単独ジョブログＩＤ＿Ｂ３のコピージョブログは、機器連携ファクスとは関係のない単独ジョブのログである。
【００７９】
図１２は、本実施形態の機器連携ファクスの連携ジョブを構成する単独ジョブのログの概略の一例を示す図である。
【００８０】
記録先は、ログが記憶されている機器を示し、ログタイプはログの分類を示し、ソースはジョブに対するデータの入力元を示し、デスティネーションはジョブに対するデータの出力先を示す。
【００８１】
１行目のログは、ジョブログＩＤ＿Ａ１が示す単独ジョブログであり、ログタイプがスキャン蓄積となっている。また、紙原稿を読み込むため、ソースはスキャナとなっており、読み取った原稿は記憶されるため、デスティネーションは蓄積メモリとなっている。
【００８２】
２行目のログは、ジョブログＩＤ＿Ａ２が示す単独ジョブログであり、ログタイプがスキャン蓄積画像取得となっている。また、すでに蓄積されている蓄積画像を取得するため、ソースは蓄積メモリとなっており、ネットワーク上のサーバ装置３０にデータが流れていくためデスティネーションはネットワークとなっている。
【００８３】
３行目のログは、ジョブログＩＤ＿Ｂ１が示す単独ジョブログであり、ログタイプがファクス文書蓄積となっている。また、サーバ装置３０が持つファクス送信画像データをネットワーク経由で本体部５０に蓄積するため、ソースはネットワークとなっており、デスティネーションは蓄積メモリとなっている。
【００８４】
４行目のログは、ジョブログＩＤ＿Ｂ２が示す単独ジョブログであり、ログタイプがファクス送信となっている。また、すでに蓄積されているファクス送信画像データを送信するため、ソースは蓄積メモリとなっており、デスティネーションはネットワークとなっている。
【００８５】
このように、機器識別情報＿Ａが示す本体部２０には、スキャナ蓄積してネットワークから取得されたログしか残らず、本体部２０の単体ジョブなのか、機器連携ジョブの一部なのか区別できない。同様に、機器識別情報＿Ｂが示す本体部５０には、ネットワーク上から通信された電子ファイルのファクス送信ログとしか残らず、本体部５０の単体ジョブなのか、機器連携ジョブの一部なのか区別できない。
【００８６】
図１３は、図１２に示すスキャン蓄積ジョブログの詳細の一例を示す図である。
【００８７】
ログに記録される情報として、ログタイプにより共通で記録される項目と、同じログタイプでもソース、デスティネーションにより変わる項目とが存在する。
【００８８】
スキャン蓄積においては、共通項目としてジョブログＩＤや、ジョブの開始／終了時刻、ジョブの操作元やユーザ名がある。ソースがスキャナである場合の項目としては、読み取りの状態／結果、スキャンした原稿の面数、カラーモードの指定、原稿種類の指定、解像度の指定がある。デスティネーションが蓄積メモリである場合の項目としては、蓄積の状態／結果、蓄積した枚数、蓄積した際の文書名、文書ＩＤがある。
【００８９】
これらの項目は一例として記載しているが、ジョブに関連する情報としてこれらの項目以外が記録されても構わない。
【００９０】
図１４は、図１２に示すスキャン蓄積画像取得ジョブログの詳細の一例を示す図である。ソースは蓄積メモリ、デスティネーションはネットワークとなっており、項目に違いはあるが、内容は図１３同様であるため、説明は省略する。
【００９１】
図１５は、図１２に示すファクス文書蓄積ジョブログの詳細の一例を示す図である。ソースはネットワーク、デスティネーションは蓄積メモリとなっており、項目に違いはあるが、内容は図１３同様であるため、説明は省略する。
【００９２】
図１６は、図１２に示すファクス送信ジョブログの詳細の一例を示す図である。ソースは蓄積メモリ、デスティネーションはネットワークとなっており、項目に違いはあるが、内容は図１３同様であるため、説明は省略する。
【００９３】
（レポート生成動作）
次に、連携ジョブ（機器連携機能）の使用状況に関するレポートの生成動作について説明する。上述したように、本体部単体で管理している情報だけでは、本体部単体で完結した単独ジョブのログなのか、連携ジョブを構成する単独ジョブのログなのか区別できない。このため本実施形態では、サーバ装置３０が本体部から単体ジョブログを取得し、サーバ装置３０が管理している情報を用いて、取得した単体ジョブログの中から、連携ジョブログ（詳細には、連携ジョブログを構成する単体ジョブログ）を特定し、レポートを生成する。
【００９４】
最初に、連携ジョブの使用状況に関するレポートとして、機器単体での総ジョブ数に対する連携ジョブ数の割合を示すレポートを生成する例について説明する。図１７は、本実施形態の機器単体での総ジョブ数に対する連携ジョブ数の割合を示すレポートの生成動作の一例を示すシーケンス図である。なお、図１７に示す例では、子機１０（本体部２０）を例に取り説明するが、これに限定されるものではない。
【００９５】
まず、ユーザは、端末装置７０などを用いて、サーバ装置３０に対してレポート出力要求を行う（ステップＳ３０１）。例えば、サーバ装置３０は、ＷｅｂＵＩを提供し、ユーザは、端末装置７０上でブラウザが表示するＷｅｂＵＩを操作してレポート出力要求を行う。
【００９６】
なお、レポート出力要求は、レポート種別情報及び機器識別情報を含む。レポート種別情報は、出力を要求するレポートの種別を示す情報であり、図１７に示す例では、総ジョブ数に対する連携ジョブ数の割合を示す。機器識別情報は、レポート生成対象の機器を示す情報であり、図１７に示す例では、機器識別情報＿Ａとなる。
【００９７】
続いて、サーバ装置３０の取得部３５７は、レポート出力要求を受け付けると、当該レポート出力要求に含まれる機器識別情報＿Ａに基づいて、本体部２０に対してジョブログ取得要求を行う（ステップＳ３０３）。これにより、本体部２０の単独ジョブログ管理部２５５は、記憶部２５３から単独ジョブログ（図１０参照）を取得し、サーバ装置３０に通知する（ステップＳ３０５）。つまり、取得部３５７は、子機１０（本体部２０）から、当該子機１０（本体部２０）で実行された１以上の単独ジョブそれぞれのログである１以上の単独ジョブログを取得する。
【００９８】
続いて、特定部３５９は、取得部３５７により取得された１以上の単独ジョブログのうち、単独ジョブログ識別情報が連携ジョブ識別情報に対応付けられている単独ジョブログの単独ジョブを連携ジョブ（詳細には、連携ジョブを構成する単独ジョブ）に特定する（ステップＳ３０７）。
【００９９】
具体的には、特定部３５９は、取得された単独ジョブログ毎に、当該単独ジョブログに含まれる単独ジョブログＩＤを連携ジョブログ管理部３５５に通知し、連携ジョブログＩＤに対応付けられているか否かの確認を依頼する。連携ジョブログ管理部３５５は、記憶部３５３から連携ジョブログＩＤに対応付けられた単独ジョブログＩＤを取得し、取得した単独ジョブログＩＤの中に通知された単独ジョブログＩＤに一致する単独ジョブログＩＤがあるか否かを確認する。
【０１００】
一致する単独ジョブログＩＤがある場合、連携ジョブログ管理部３５５は、通知された単独ジョブログＩＤが連携ジョブログＩＤに対応付けられていることを通知し、特定部３５９は、通知した単独ジョブログＩＤを含む単独ジョブログの単独ジョブを連携ジョブに特定する。一方、一致する単独ジョブログＩＤがない場合、連携ジョブログ管理部３５５は、通知された単独ジョブログＩＤが連携ジョブログＩＤに対応付けられていないことを通知し、特定部３５９は、通知した単独ジョブログＩＤを含む単独ジョブログの単独ジョブを単独ジョブのままとする。
【０１０１】
なお、図１０に示す単独ジョブログの場合、単独ジョブログＩＤ＿Ａ１及び単独ジョブログＩＤ＿Ａ２は、連携ジョブログＩＤ＿Ｘ１に対応付けられているため（図９参照）、スキャン蓄積ジョブログのスキャン蓄積及び蓄積画像データ取得ジョブログの蓄積画像データ取得が連携ジョブ（詳細には、連携ジョブを構成する単独ジョブ）に特定される。一方、単独ジョブログＩＤ＿Ａ３は、連携ジョブログＩＤに対応付けられていないため（図９参照）、スキャン送信ジョブログのスキャン送信が単独ジョブのままとなる。
【０１０２】
続いて、算出部３６１は、取得部３５７により取得された１以上の単独ジョブログに基づいて、実行されたジョブの総ジョブ数に対する、当該総ジョブ数のうちの連携ジョブの連携ジョブ数の割合を算出する（ステップＳ３０９）。
【０１０３】
なお、図１０に示す単独ジョブログの場合、実行されたジョブは、スキャン蓄積、蓄積画像データ取得、及びスキャン送信であるため、総ジョブ数は３となり、連携ジョブは、スキャン蓄積、及び蓄積画像データ取得であるため、連携ジョブ数は２となる。このため、総ジョブ数に対する連携ジョブ数の割合は、２／３≒６７％となる。
【０１０４】
但し、前述のように、単独ジョブログＩＤ＿Ａ１及び単独ジョブログＩＤ＿Ａ２は、連携ジョブログＩＤ＿Ｘ１に対応付けられているため、スキャン蓄積、及び蓄積画像データ取得を１つの連携ジョブとしてもよい。この場合、総ジョブ数は２、連携ジョブ数は１となるため、総ジョブ数に対する連携ジョブ数の割合は、１／２≒５０％となる。
【０１０５】
続いて、生成部３６３は、子機１０（本体部２０）単体での総ジョブ数に対する連携ジョブ数の割合を示すレポートとして、算出部３６１により算出された割合を示すレポートを生成する（ステップＳ３１１）。
【０１０６】
なお、生成部３６３は、例えば、算出部３６１により算出された総ジョブ数、連携ジョブ数、及び割合を表形式にまとめてレポートとしてもよいし、算出部３６１により算出された割合をグラフ化してレポートとしてもよい。
【０１０７】
続いて、出力部３６５は、生成部３６３により生成されたレポートを端末装置７０に出力する（ステップＳ３１３）。これにより、端末装置７０は、ブラウザが表示するＷｅｂＵＩとして、出力されたレポートを表示する。
【０１０８】
なお、図１７に示す例では、レポート対象の機器は、子機１０（本体部２０）のみである場合を説明したが、レポート対象の機器は複数台であってもよい。この場合、機器毎に、総ジョブ数に対する連携ジョブ数の割合を算出し、レポートにすればよい。
【０１０９】
次に、連携ジョブの使用状況に関するレポートとして、機器全体（複数の機器）での総ジョブ数に対する連携ジョブ数の割合を示すレポートを生成する例について説明する。図１８は、本実施形態の機器全体での総ジョブ数に対する連携ジョブ数の割合を示すレポートの生成動作の一例を示すシーケンス図である。なお、図１８に示す例では、複数の機器が子機１０（本体部２０）及び親機４０（本体部５０）である場合を例に取り説明するが、これに限定されるものではない。
【０１１０】
まず、ユーザは、端末装置７０などを用いて、サーバ装置３０に対してレポート出力要求を行う（ステップＳ４０１）。なお、図１８に示す例では、レポート出力要求に含まれるレポート種別情報は、総ジョブ数に対する連携ジョブ数の割合を示し、レポート出力要求に含まれる機器識別情報は、機器識別情報＿Ａ及び機器識別情報＿Ｂとなる。
【０１１１】
続いて、ステップＳ４０３〜Ｓ４０５の処理については、図１７に示すシーケンス図のステップＳ３０３〜Ｓ３０５の処理と同様である。
【０１１２】
続いて、サーバ装置３０の取得部３５７は、レポート出力要求に含まれる機器識別情報＿Ｂに基づいて、本体部５０に対してジョブログ取得要求を行う（ステップＳ４０７）。これにより、本体部５０の単独ジョブログ管理部５５５は、記憶部５５３から単独ジョブログ（図１１参照）を取得し、サーバ装置３０に通知する（ステップＳ４０９）。
【０１１３】
つまり、取得部３５７は、子機１０（本体部２０）及び親機４０（本体部５０）それぞれから、実行された１以上の単独ジョブそれぞれのログである１以上の単独ジョブログを取得する。
【０１１４】
続いて、特定部３５９は、取得部３５７により取得された子機１０（本体部２０）及び親機４０（本体部５０）それぞれの１以上の単独ジョブログのうち、単独ジョブログ識別情報が連携ジョブ識別情報に対応付けられている単独ジョブログの単独ジョブを連携ジョブ（詳細には、連携ジョブを構成する単独ジョブ）に特定する（ステップＳ４１１）。
【０１１５】
なお、図１０に示す単独ジョブログの場合、前述の通り、スキャン蓄積ジョブログのスキャン蓄積及び蓄積画像データ取得ジョブログの蓄積画像データ取得が連携ジョブ（詳細には、連携ジョブを構成する単独ジョブ）に特定され、スキャン送信ジョブログのスキャン送信が単独ジョブのままとなる。
【０１１６】
一方、図１１に示す単独ジョブログの場合、単独ジョブログＩＤ＿Ｂ１及び単独ジョブログＩＤ＿Ｂ２は、連携ジョブログＩＤ＿Ｘ１に対応付けられているため（図９参照）、ファクス文書蓄積ジョブログのファクス文書蓄積及びファクス送信ジョブログのファクス送信が連携ジョブ（詳細には、連携ジョブを構成する単独ジョブ）に特定される。一方、単独ジョブログＩＤ＿Ｂ３は、連携ジョブログＩＤに対応付けられていないため（図９参照）、コピージョブログのコピーが単独ジョブのままとなる。
【０１１７】
続いて、算出部３６１は、取得部３５７により取得された子機１０（本体部２０）及び親機４０（本体部５０）それぞれの１以上の単独ジョブログに基づいて、子機１０（本体部２０）及び親機４０（本体部５０）で実行されたジョブの総ジョブ数に対する、当該総ジョブ数のうちの連携ジョブの連携ジョブ数の割合を算出する（ステップＳ４１３）。
【０１１８】
なお、図１０に示す単独ジョブログの場合、実行されたジョブは、スキャン蓄積、蓄積画像データ取得、及びスキャン送信であり、図１１に示す単独ジョブログの場合、実行されたジョブは、ファクス文書蓄積、ファクス送信、及びコピーであるため、総ジョブ数は６となる。連携ジョブは、スキャン蓄積、蓄積画像データ取得、ファクス文書蓄積、及びファクス送信であるため、連携ジョブ数は４となる。このため、総ジョブ数に対する連携ジョブ数の割合は、４／６≒６７％となる。
【０１１９】
但し、前述のように、単独ジョブログＩＤ＿Ａ１、単独ジョブログＩＤ＿Ａ２、単独ジョブログＩＤ＿Ｂ１、及び単独ジョブログＩＤ＿Ｂ２は、連携ジョブログＩＤ＿Ｘ１に対応付けられているため、スキャン蓄積、蓄積画像データ取得、ファクス文書蓄積、及びファクス送信を１つの連携ジョブとしてもよい。この場合、総ジョブ数は３、連携ジョブ数は１となるため、総ジョブ数に対する連携ジョブ数の割合は、１／３≒３３％となる。
【０１２０】
続いて、生成部３６３は、子機１０（本体部２０）及び親機４０（本体部５０）全体での総ジョブ数に対する連携ジョブ数の割合を示すレポートとして、算出部３６１により算出された割合を示すレポートを生成する（ステップＳ４１５）。
【０１２１】
なお、生成部３６３は、算出部３６１により算出された総ジョブ数、連携ジョブ数、及び割合を表形式にまとめてレポートとしてもよいし、算出部３６１により算出された割合をグラフ化してレポートとしてもよい。
【０１２２】
続いて、出力部３６５は、生成部３６３により生成されたレポートを端末装置７０に出力する（ステップＳ４１７）。
【０１２３】
次に、連携ジョブの使用状況に関するレポートとして、連携ジョブを実行した機器の台数を示すレポートを生成する例について説明する。図１９は、本実施形態の連携ジョブを実行した機器の台数を示すレポートの生成動作の一例を示すシーケンス図である。なお、図１９に示す例では、子機１０（本体部２０）及び親機４０（本体部５０）を例に取り説明するが、これに限定されるものではない。
【０１２４】
まず、ユーザは、端末装置７０などを用いて、サーバ装置３０に対してレポート出力要求を行う（ステップＳ５０１）。なお、図１９に示す例では、レポート出力要求に含まれるレポート種別情報は、連携ジョブを実行した機器の台数を示し、レポート出力要求に含まれる機器識別情報は、機器識別情報＿Ａ及び機器識別情報＿Ｂとなる。
【０１２５】
続いて、ステップＳ５０３〜Ｓ５１１の処理については、図１８に示すシーケンス図のステップＳ４０３〜Ｓ４１１の処理と同様である。
【０１２６】
続いて、算出部３６１は、取得部３５７により取得された子機１０（本体部２０）及び親機４０（本体部５０）それぞれの１以上の単独ジョブログに基づいて、子機１０（本体部２０）及び親機４０（本体部５０）のうち連携ジョブが実行された機器の台数を算出する（ステップＳ５１３）。具体的には、算出部３６１は、取得された１以上の単独ジョブログに連携ジョブが含まれている機器の台数を、連携ジョブが実行された機器の台数として算出する。
【０１２７】
なお、図１０に示す単独ジョブログの場合、実行されたジョブは、スキャン蓄積、蓄積画像データ取得、及びスキャン送信であり、このうち、スキャン蓄積、及び蓄積画像データ取得は、連携ジョブであるため、子機１０（本体部２０）は、連携ジョブを実行している。
【０１２８】
また、図１１に示す単独ジョブログの場合、実行されたジョブは、ファクス文書蓄積、ファクス送信、及びコピーであり、このうち、ファクス文書蓄積、及びファクス送信は、連携ジョブであるため、親機４０（本体部５０）は、連携ジョブを実行している。
【０１２９】
このため、連携ジョブが実行された機器の台数は、２台となる。
【０１３０】
続いて、生成部３６３は、連携ジョブを実行した機器の台数を示すレポートとして、算出部３６１により算出された台数を示すレポートを生成する（ステップＳ５１５）。なお、生成部３６３は、算出部３６１により算出された台数に加え、連携ジョブが実行された機器の機器識別情報もレポートに含めてもよい。
【０１３１】
続いて、出力部３６５は、生成部３６３により生成されたレポートを端末装置７０に出力する（ステップＳ５１７）。
【０１３２】
次に、連携ジョブの使用状況に関するレポートとして、種別が一致し、かつ実行された時間帯が重複する連携ジョブの合計重複時間を示すレポートを生成する例について説明する。図２０は、種別が一致し、かつ実行された時間帯が重複する連携ジョブの合計重複時間を示すレポートの生成動作の一例を示すシーケンス図である。なお、図２０に示す例では、子機１０（本体部２０）及び親機４０（本体部５０）を例に取り説明するが、これに限定されるものではない。
【０１３３】
まず、ユーザは、端末装置７０などを用いて、サーバ装置３０に対してレポート出力要求を行う（ステップＳ６０１）。なお、図２０に示す例では、レポート出力要求に含まれるレポート種別情報は、連携ジョブの合計重複時間を示し、レポート出力要求に含まれる機器識別情報は、機器識別情報＿Ａ及び機器識別情報＿Ｂとなる。
【０１３４】
続いて、ステップＳ６０３〜Ｓ６１１の処理については、図１８に示すシーケンス図のステップＳ４０３〜Ｓ４１１の処理と同様である。
【０１３５】
続いて、算出部３６１は、取得部３５７により取得された子機１０（本体部２０）及び親機４０（本体部５０）それぞれの１以上の単独ジョブログに基づいて、子機１０（本体部２０）及び親機４０（本体部５０）で実行されたジョブのうち、種別が一致し、かつ実行された時間帯が重複する連携ジョブの合計重複時間を算出する（ステップＳ６１３）。
【０１３６】
なお、種別が一致するか否かは、連携ジョブ間で、連携ジョブに含まれる１以上の単独ジョブログのログタイプ（図１２参照）が完全に一致するか否かで判断できる。また、実行された時間帯が重複するか否かは、単独ジョブログ毎に、開始時刻及び終了時刻が含まれているため（図１３〜図１６参照）、種別が一致する連携ジョブ間で、単独ジョブログ毎に、開始時刻〜終了時刻が重複するか否かで判断できる。つまり、開始時刻及び終了時刻が時間帯情報の一例となる。そして、算出部３６１は、重複時間を全て加算して合計重複時間を算出する。
【０１３７】
続いて、生成部３６３は、種別が一致し、かつ実行された時間帯が重複する連携ジョブの合計重複時間を示すレポートとして、算出部３６１により算出された合計重複時間を示すレポートを生成する（ステップＳ６１５）。なお、生成部３６３は、算出部３６１により算出された合計重複時間に加え、重複する連携ジョブの情報（連携ジョブのログ）もレポートに含めてもよい。
【０１３８】
続いて、出力部３６５は、生成部３６３により生成されたレポートを端末装置７０に出力する（ステップＳ６１７）。
【０１３９】
以上のように本実施形態によれば、サーバ装置が管理している情報により、各本体部に記憶されている単独ジョブログが、本体部単体で完結した単独ジョブのログなのか、連携ジョブを構成する単独ジョブのログなのかを判断できるので、操作部と本体部とを独立させた構成の機器を連携動作させる場合であっても、連携動作のジョブを管理することができる。
【０１４０】
また本実施形態によれば、各本体部に記憶されている単独ジョブログが、本体部単体で完結した単独ジョブのログなのか、連携ジョブを構成する単独ジョブのログなのかを判断して連携ジョブを特定し、連携ジョブ（機器連携機能）の使用状況に関するレポートを生成して出力するので、連携ジョブの使用状況をユーザに把握させ易くすることができる。
【０１４１】
例えば、機器単体での総ジョブ数に対する連携ジョブ数の割合を示すレポートを出力すれば、ユーザに、当該機器での連携ジョブ（機器連携機能）の使用状況がユーザの意図通りであるか否かを確認させることができる。
【０１４２】
例えば、子機が子機Ａ、子機Ｂの２台あり、子機Ａは、１言語に対応したＯＣＲ（Optical  Character  Recognition）機能を有し、子機Ｂは、２言語に対応したＯＣＲ機能を有し、親機は、３言語に対応したＯＣＲ機能を有し、子機Ａ、子機Ｂは、親機と連携すれば、３言語に対応したＯＣＲ機能を実行できるとする。この場合、子機Ａよりも子機Ｂの方が親機との機能差があり、子機Ａよりも子機Ｂの方が親機との機器連携が行われることが予想されるので、子機毎の総ジョブ数に対する連携ジョブ数の割合を示すレポートを出力すれば、連携ジョブ（機器連携機能）の使用割合が、子機Ａよりも子機Ｂの方が多くなっているか否かをユーザに確認させることができる。
【０１４３】
また例えば、機器全体（複数の機器）での総ジョブ数に対する連携ジョブ数の割合を示すレポートを出力すれば、ユーザに、連携システムを導入した効果を把握させることができる。
【０１４４】
また例えば、連携ジョブを実行した機器の台数を示すレポートを出力すれば、ユーザに、連携ジョブ（機器連携機能）を使用している機器の台数がユーザの意図通りであるか否かを確認させることができる。
【０１４５】
例えば、子機が子機Ａ、子機Ｂの２台あり、子機Ａは、１言語に対応したＯＣＲ（Optical  Character  Recognition）機能を有し、子機Ｂは、２言語に対応したＯＣＲ機能を有し、親機は、３言語に対応したＯＣＲ機能を有し、子機Ａ、子機Ｂは、親機と連携すれば、３言語に対応したＯＣＲ機能を実行できるとする。この場合、子機Ａ及び子機Ｂは、親機との機能差を有し、親機との機器連携が行われることが予想されるので、連携ジョブを実行した機器の台数を示すレポートを出力すれば、連携ジョブ（機器連携機能）を使用している機器の台数がユーザの意図通りであるか否かを確認させることができる。
【０１４６】
また例えば、種別が一致し、かつ実行された時間帯が重複する連携ジョブの合計重複時間を示すレポートを出力すれば、ユーザに、連携システムを導入した効果（待ち時間削減効果）を把握させることができる。
【０１４７】
例えば、子機が子機Ａ、子機Ｂの２台あり、子機Ａは、１言語に対応したＯＣＲ（Optical  Character  Recognition）機能を有し、子機Ｂは、２言語に対応したＯＣＲ機能を有し、親機は、３言語に対応したＯＣＲ機能を有し、子機Ａ、子機Ｂは、親機と連携すれば、３言語に対応したＯＣＲ機能を実行できるとする。そして、子機Ａの親機との連携による３言語に対応したＯＣＲ機能と、子機Ｂの親機との連携による３言語に対応したＯＣＲ機能とが同一時間帯に行われていれば、連携システムを導入していなければ、親機の順番待ちとなっていたはずの時間が削減できたことになるので、種別が一致し、かつ実行された時間帯が重複する連携ジョブの合計重複時間を示すレポートを出力すれば、ユーザに、連携システムを導入した効果（待ち時間削減効果）を把握させることができる。
【０１４８】
（変形例１）
上記実施形態において、サーバ装置３０も単独ジョブを実行するようにしてもよい。この場合、連携制御部３５１は、連携ジョブを構成する単独ジョブを本体部に実行させる場合、当該本体部に当該単独ジョブの実行要求を行い、連携ジョブを構成する単独ジョブをサーバ装置３０に実行させる場合、当該単独ジョブを実行し、連携ジョブログ管理部３５５は、実行された単独ジョブ毎に、単独ジョブログＩＤを含む単独ジョブログを生成して管理し、連携ジョブログ管理部３５５は、サーバ装置３０からも単独ジョブログを取得して、連携ジョブログを生成するようにすればよい。
【０１４９】
（変形例２）
上記実施形態では、操作部１１が内部ネットワーク２を介してサーバ装置３０と直接通信することを想定して説明したが、操作部１１が本体部２０及び内部ネットワーク２を介してサーバ装置３０と通信するようにしてもよい。
【０１５０】
（変形例３）
上記実施形態において、操作部１１をスマートフォンやタブレット端末のアプリケーションで実現するようにしてもよい。
【０１５１】
（変形例４）
上記実施形態において、サーバ装置３０を独立のサーバとするのではなく、子機１０や親機４０に内蔵したサーバとしてもよい。
【０１５２】
（変形例５）
上記実施形態では、操作部と本体部とを独立させた構成の機器を連携動作させる場合を例に取り説明したが、操作部と本体部とを独立させていない構成の機器であれば、実行するジョブが単独ジョブであるか連携ジョブであるかを機器自身で判断できる。このため、各機器は、ジョブログにジョブが単独ジョブであるか連携ジョブであるかを識別するジョブ種別識別情報を含め、サーバ装置３０の特定部３５９は、取得部３５７により取得された１以上のジョブログのうち、ジョブ種別識別情報が連携ジョブを示すジョブログのジョブを連携ジョブに特定するようにしてもよい。
【０１５３】
（プログラム）
上記実施形態及び各変形例の操作部、本体部、及びサーバ装置（以下、「上記実施形態及び各変形例の各装置」と称する）で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１５４】
また、上記実施形態及び各変形例の各装置で実行されるプログラムを、インターネット等のネットワークに接続されたコンピュータ上に格納し、ネットワーク経由でダウンロードさせることにより提供するようにしてもよい。また、上記実施形態及び各変形例の各装置を、インターネット等のネットワーク経由で提供または配布するようにしてもよい。また、上記実施形態及び各変形例の各装置で実行されるプログラムを、ＲＯＭ等に予め組み込んで提供するようにしてもよい。
【０１５５】
上記実施形態及び各変形例の各装置で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【０１５６】
１  連携システム
２  内部ネットワーク
３  外部ネットワーク
１０  子機
１１  操作部
２０  本体部
３０  サーバ装置
４０  親機
４１  操作部
５０  本体部
６０  外部ファクス装置
７０  端末装置
１０１  ＣＰＵ
１０３  ＲＯＭ
１０５  ＲＡＭ
１０７  ＨＤＤ
１０９  ＮＩＣ
１１１  入力装置
１１３  表示装置
１５１  入力部
１５３  表示部
１５５  ジョブ制御部
１５７  記憶部
２０１  スキャナユニット
２０３  ＣＰＵ
２０５  ＲＯＭ
２０７  ＲＡＭ
２０９  プリントエンジン
２１１  画像メモリ
２１３  ＨＤＤ
２１５  ＮＩＣ
２５１  ジョブ実行部
２５３  記憶部
２５５  単独ジョブログ管理部
３０１  ＣＰＵ
３０３  ＲＯＭ
３０５  ＲＡＭ
３０７  ＨＤＤ
３０９  ＮＩＣ
３５１  連携制御部
３５３  記憶部
３５５  連携ジョブログ管理部
３５７  取得部
３５９  特定部
３６１  算出部
３６３  生成部
３６５  出力部
４０１  ＣＰＵ
４０３  ＲＯＭ
４０５  ＲＡＭ
４０７  ＨＤＤ
４０９  ＮＩＣ
４１１  入力装置
４１３  表示装置
５０１  スキャナユニット
５０３  ＣＰＵ
５０５  ＲＯＭ
５０７  ＲＡＭ
５０９  プリントエンジン
５１１  画像メモリ
５１３  ＨＤＤ
５１５  ＮＩＣ
５１７  ＭＯＤＥＭ
５１９  ＮＣＵ
５５１  ジョブ実行部
５５３  記憶部
５５５  単独ジョブログ管理部
７０１  ＣＰＵ
７０３  ＲＯＭ
７０５  ＲＡＭ
７０７  ＨＤＤ
７０９  ＮＩＣ
７１１  入力装置
７１３  表示装置
【先行技術文献】
【特許文献】
【０１５７】
【特許文献１】特許第５２４１３４５号公報
【図１】
2017050814.tif 000003
【図２】
2017050814.tif 000004
【図３】
2017050814.tif 000005
【図４】
2017050814.tif 000006
【図５】
2017050814.tif 000007
【図６】
2017050814.tif 000008
【図７】
2017050814.tif 000009
【図８】
2017050814.tif 000010
【図９】
2017050814.tif 000011
【図１０】
2017050814.tif 000012
【図１１】
2017050814.tif 000013
【図１２】
2017050814.tif 000014
【図１３】
2017050814.tif 000015
【図１４】
2017050814.tif 000016
【図１５】
2017050814.tif 000017
【図１６】
2017050814.tif 000018
【図１７】
2017050814.tif 000019
【図１８】
2017050814.tif 000020
【図１９】
2017050814.tif 000021
【図２０】
2017050814.tif 000022